(57)【要約】【課題】前面に取っ手スイッチがない状態でも、運転中に洗浄槽を引き出した際に洗浄水が洗浄槽から筐体より外に飛び出さないようにした、使い勝手の良く、デザイン性に優れた食器洗い機を提供する。【解決手段】洗浄槽２０が筐体１７に収容されたとき上開口部３１を閉塞する内蓋３２と、洗浄槽２０の収容状態を検知する収納スイッチ２０ａと、洗浄槽２０の内部に洗浄水を噴射する洗浄ノズル２８と、上開口部３１の一部を覆う遮蔽板３５とを備え、遮蔽板３５は、少なくとも洗浄槽２０が引き出される初期に扉体２１側に位置し、洗浄水が洗浄槽２０から筐体１７より外に飛び出すのを遮るように構成した。【選択図】図１
2014204774.tif 000002
【特許請求の範囲】
【請求項１】
前面に前開口部を有する筐体と、前記筐体内に引き出し可能に収容され上面に上開口部を有する洗浄槽と、前記洗浄槽の前方に設けられ前記洗浄槽が前記筐体に収容されたときに前記前開口部を覆う扉体と、前記洗浄槽が前記筐体に収容されたときに前記上開口部を閉塞する内蓋と、前記洗浄槽の収容状態を検知する収納スイッチと、前記洗浄槽の内部に洗浄水を噴射する洗浄ノズルと、前記上開口部の近傍を覆う遮蔽板とを備え、前記遮蔽板は、少なくとも前記洗浄槽が引き出される初期に前記扉体側に位置し、洗浄水が前記洗浄槽から前記筐体より外に飛び出すのを遮るように構成された食器洗い機。
【請求項２】
前記遮蔽板は、移動可能に構成された請求項１記載の食器洗い機。
【請求項３】
前記遮蔽板を前後に移動可能に支持する支持部が洗浄槽内の左右上部に設けられた請求項１または２項記載の食器洗い機。
【請求項４】
前記支持部は、前記洗浄槽の壁面上部に構成された請求項３記載の食器洗い機。
【請求項５】
前記洗浄槽内に食器かごが配設され、前記支持部は、前記食器かごに構成された請求項３記載の食器洗い機。
【請求項６】
前記遮蔽板は、前記洗浄槽が収容されるときに前記内蓋に当接して前記扉体側に移動するように構成された請求項１〜５のうちいずれか１項記載の食器洗い機。
【請求項７】
前記遮蔽板は、上面に上方への上突起部を有し、前記洗浄槽が収容されるときに前記内蓋に当接するように構成された請求項６記載の食器洗い機。
【請求項８】
前記遮蔽板は、前記内蓋が前記上開口部を閉塞したときには前記内蓋と干渉しないように構成された請求項１〜７のうちいずれか１項記載の食器洗い機。
【請求項９】
前記遮蔽板は、上面に前記内蓋に当接する上突出部と、下面前部で前記支持部に当接する下突出部とを有し、前記支持部は、前記遮蔽板が前記扉体側に位置したとき前記下突出部が落ち込む凹部を有し、前記遮蔽板が前記扉体側に位置したとき、前記下突出部が前記凹部に落ち込んで前記上突出部と前記内蓋との当接がなくなるように構成された請求項６〜８記載の食器洗い機。
【請求項１０】
前記凹部と前記下突出部は、前記下突出部が滑らかに落ち込むように構成された請求項９記載の食器洗い機。
【請求項１１】
前記凹部と前記下突出部との少なくともいずれかに傾斜面が形成され、前記下突出部が滑らかに落ち込むように構成された請求項９または１０記載の食器洗い機。
【請求項１２】
前記遮蔽板は、回動可能に構成された請求項１または２記載の食器洗い機。
【請求項１３】
前記遮蔽板は、かご蓋を有する小型食器かごで構成された１〜１２記載の食器洗い機。
【発明の詳細な説明】
【技術分野】
【０００１】
本発明は、食器類を洗浄、乾燥するビルトインタイプの食器洗い機に関する。
【背景技術】
【０００２】
従来、この種の食器洗い機は図９〜図１０のように構成されている（例えば、特許文献１参照）。図９は、従来の食器洗い機の側面断面図で、洗浄槽３が前（図面上左方向）に引き出される構成であることを示す。図１０（ａ）は、従来の食器洗い機におけるロック状態の取っ手１１ａ近傍の断面図（ｂ）同食器洗い機のロック解除状態の取っ手１１ａ近傍の断面図である。
【０００３】
図９において、食器洗い機はシステムキッチンに収容されている。食器洗い機は、前方に前開口部１を有する筐体２の内部に洗浄槽３が設けられている。洗浄槽３は、前方に前開口部１を覆う扉体４と、上面に上開口部５を有し、内部に食器類６を収容する上下２段の食器かご７が配置されている。食器かご７の下方には洗浄ノズル８が回転自在に設けられ、洗浄槽３内に溜められた洗浄水は、洗浄ポンプ９によって圧送されて洗浄ノズル８より噴射し、食器類６を洗浄する。また、洗浄槽３は、左右外側の側部下方にレール１０を有し、前後方向へ平行移動ができるようにして筐体２に支持されている。
【０００４】
図１０において、扉体４の上方に操作パネル１１が設けられ、その中央には前方より洗浄槽３を引き出す時に手を掛けるための取っ手１１ａが設けられている。取っ手１１ａ内には、扉体４に支持され、上方へ回動可能な取っ手レバー１４が設けられている。取っ手レバー１４は回動軸１４ａまわりに動作角度θ１だけ回動し、取っ手レバー１４の動きは、取っ手レバー１４にその一端を固定連結された連動レバー１５やロック片１５ａによって洗浄槽３の側壁方向のロック機構（図示せず）へ伝達される。
【０００５】
使用者が食器洗い機を使用する時には、扉体４に一体的に形成された取っ手１１ａをつかんで洗浄槽３を筐体２から前方に引き出し、上開口部５より食器類６を収容する。収容が完了すると洗浄槽３は筐体２内に戻される。洗浄槽３が戻されると、筐体２内の上部空間に待機していた内蓋１２が、筐体２内の左右の側面に配したリンク機構１３等により後方へ移動しつつ降下して洗浄槽３の上開口部５を閉塞する。内蓋１２は、洗浄運転中に洗浄ノズル８から噴射された洗浄水が洗浄槽３から飛び出さないようにしている。
【０００６】
運転が開始されると、制御部（図示せず）は、洗浄槽３の底部に配置されたヒータ１６によって洗浄水を加熱しながら、洗浄ポンプ９を動作させて洗浄水を洗浄ノズル８から食器類６に向かって噴射し、食器類６の汚れを落とす洗浄工程を行う。その後、食器類６をすすぐすすぎ工程を行った後、洗浄槽３内の空気をヒータ１６によって暖めつつ、送風手段１５によって吸排気して洗浄槽３内を乾燥させる乾燥工程を行って運転を終了する。
【０００７】
また、取っ手１１ａの近傍には取っ手レバー１４の動作を検知するための取っ手スイッチ（図示せず）が設けられるとともに、洗浄槽３の後方に洗浄槽３の収容状態を検知する収納スイッチ３ａが設けられている。制御部は、運転中に洗浄槽３が引き出される時には、取っ手スイッチにより取っ手レバー１４の回転動作を検知し、洗浄槽３が引き出される前に洗浄ポンプ９の動作を停止させて洗浄ノズル８からの洗浄水が洗浄槽３から筐体２より外に飛び出ないよう制御したり、収納スイッチ３ａにより、洗浄槽３が収容されていない状態では運転が行えないように制御したりしている。
【先行技術文献】
【特許文献】
【０００８】
【特許文献１】特開２０１１−２０６１３０号公報
【発明の概要】
【発明が解決しようとする課題】
【０００９】
しかしながら、前記従来の構成では、システムキッチンに収容された状態で、必ず操作パネル１１と取っ手スイッチを含む取っ手１１ａが前面に配置されるため、システムキッチンのデザインに制約が生じ、システムキッチンの種類によっては、食器洗い機の左右に配置される引き出し収納等の扉と合わなくなり、デザインが損なわれるという課題を有していた。
【００１０】
また、操作パネル１１と取っ手１１ａを前面からなくし、左右の扉とデザインを合わせた場合には、従来取っ手１１ａ近傍に設けられていた取っ手スイッチなどの検知装置も設置できなくなる。その代わりに洗浄槽３の収納完了や引き出される動きなどの収容状態を検知する収納スイッチ３ａが設けられたとしても、運転中に洗浄槽３が引き出される時には、洗浄槽３の動きを検知してからのためポンプ９の停止が遅れ、ポンプ９の慣性力によっては洗浄ノズル８からの洗浄水が洗浄槽から筐体より外に飛び出てしまうという課題を有していた。
【００１１】
本発明は、上記従来の課題を解決するもので、収容されるシステムキッチンの扉と同じデザインの化粧板が食器洗い機の扉体として前面全てに施され、取っ手もシステムキッチンと同じ仕様となって前面に操作パネルや取っ手スイッチがない構成でも、運転中に洗浄槽が引き出された時に洗浄水が洗浄槽から筐体より外に飛び出さないようにすることができ、使い勝手が良く、デザイン性に優れた食器洗い機を提供することを目的とする。
【課題を解決するための手段】
【００１２】
前記従来の課題を解決するために、本発明の食器洗い機は、前面に前開口部を有する筐体と、前記筐体内に引き出し可能に収容され上面に上開口部を有する洗浄槽と、前記洗浄槽の前方に設けられ前記洗浄槽が前記筐体に収容されたときに前記前開口部を覆う扉体と、前記洗浄槽が前記筐体に収容されたときに前記上開口部を閉塞する内蓋と、前記洗浄槽の収容状態を検知する収納スイッチと、前記洗浄槽の内部に洗浄水を噴射する洗浄ノズルと、前記上開口部の一部を覆う遮蔽板とを備え、前記遮蔽板は、少なくとも前記洗浄槽が引き出される初期に前記扉体側に位置し、洗浄水が前記洗浄槽から前記筐体より外に飛び出すのを遮るように構成されたものである。
【００１３】
これによって、収容されるシステムキッチンの扉と同じデザインの化粧板が食器洗い機の扉体として前面全てに施され、前面に取っ手スイッチがない状態でも、運転中に洗浄槽を引き出した時に洗浄水が洗浄槽から筐体より外に飛び出さないようにすることができ、使い勝手が良く、デザイン性に優れた食器洗い機を提供することができる。
【発明の効果】
【００１４】
本発明の食器洗い機は、収容されるシステムキッチンの扉と同じデザインの化粧板が食器洗い機の扉体として前面全てに施され、前面に開閉スイッチがない状態でも、運転中に洗浄槽を引き出した時に洗浄水が洗浄槽から筐体より外に飛び出さないようにすることができ、使い勝手が良く、デザイン性に優れた食器洗い機を提供することができる。
【図面の簡単な説明】
【００１５】
【図１】本発明の実施の形態１における食器洗い機の側面断面図
【図２】同食器洗い機の洗浄槽が筐体から前方に引き出される初期状態の側面断面図
【図３】本発明の実施の形態１における食器洗い機の正面断面図
【図４】同食器洗い機の遮蔽板が後方に移動した状態の側面断面図
【図５】同食器洗い機の洗浄槽が筐体に収納される過程の側面断面図
【図６】本発明の実施の形態２における食器洗い機の洗浄槽が筐体から前方に引き出される初期状態の側面断面図
【図７】本発明の実施の形態２における食器洗い機の正面断面図
【図８】本発明の実施の形態３における食器洗い機の洗浄槽が筐体から前方に引き出された状態の側面断面図
【図９】従来の食器洗い機の縦断面図
【図１０】（ａ）従来の食器洗い機におけるロック状態の取っ手近傍の断面図（ｂ）同食器洗い機のロック解除状態の取っ手の断面図
【発明を実施するための形態】
【００１６】
第１の発明は、前面に前開口部を有する筐体と、前記筐体内に引き出し可能に収容され上面に上開口部を有する洗浄槽と、前記洗浄槽の前方に設けられ前記洗浄槽が前記筐体に収容されたときに前記前開口部を覆う扉体と、前記洗浄槽が前記筐体に収容されたときに前記上開口部を閉塞する内蓋と、前記洗浄槽の収容状態を検知する収納スイッチと、前記洗浄槽の内部に洗浄水を噴射する洗浄ノズルと、前記上開口部の一部を覆う遮蔽板とを備え、前記遮蔽板は、少なくとも前記洗浄槽が引き出される初期に前記扉体側に位置し、洗浄水が前記洗浄槽から前記筐体より外に飛び出すのを遮るように構成されたものである。この構成により、収容されるシステムキッチンの扉と同じデザインの化粧板が食器洗い機の扉体として前面全てに施され、前面に操作パネルや取っ手スイッチがない状態でも、運転中に洗浄槽を引き出した時に洗浄水が洗浄槽から筐体より外に飛び出さないようにすることができ、使い勝手が良く、デザイン性に優れた食器洗い機を提供することができる。
【００１７】
第２の発明は、第１の発明において、前記遮蔽板は、移動可能に構成されたもので、これにより、使用者が食器類を洗浄槽に出し入れする時に、遮蔽板が邪魔にならないようにすることができる。
【００１８】
第３の発明は、第１または第２の発明において、前記遮蔽板を前後に移動可能に支持する支持部が洗浄槽内の左右上部に設けられたもので、これにより、遮蔽板が移動するための構成が容易になるとともに、収容される食器類の容量を維持することができる。
【００１９】
第４の発明は、第３の発明において、前記支持部は、前記洗浄槽の壁面上部に一体的に構成されたもので、これにより、支持部が洗浄槽の成形時に容易に構成されるとともに、洗浄槽内の清掃性を良好にすることができる。
【００２０】
第５の発明は、第３の発明において、前記洗浄槽内に食器かごが配設され、前記支持部は、前記食器かごに構成されたもので、これにより、洗浄槽には洗浄槽内方への突起がなくなり、食器かごの出し入れ等の作業を容易にすることができる。
【００２１】
第６の発明は、第１〜第５の発明において、前記遮蔽板は、前記洗浄槽が収容されるときに前記内蓋に当接して前記扉体側に移動するように構成されたもので、これにより、使用者が食器類の出し入れを行う時に遮蔽板を後側に移動した場合でも、洗浄槽が収容されることによって、遮蔽板は容易に前側、すなわち扉体側に戻り、洗浄槽が引き出される初期には扉体側に位置することができる。
【００２２】
第７の発明は、第６の発明において、前記遮蔽板は、上面に上方への上突起部を有し、前記洗浄槽が収容されるときに前記内蓋に当接するように構成されたもので、これにより、遮蔽板は、内蓋の前端に容易に当接して移動することができる。
【００２３】
第８の発明は、第１〜第７の発明において、前記遮蔽板は、前記内蓋が前記上開口部を閉塞したときには前記内蓋と干渉しないように構成されたもので、これにより、内蓋は遮蔽板に妨げられることなく確実に上開口部を閉塞することができる。
【００２４】
第９の発明は、第６〜第８の発明において、前記遮蔽板は、上面に前記内蓋に当接する上突出部と、下面前部で前記支持部に当接する下突出部とを有し、前記支持部は、前記遮蔽板が前記扉体側に位置したとき前記下突出部が落ち込む凹部を有し、前記遮蔽板が前記扉体側に位置したとき、前記下突出部が前記凹部に落ち込んで前記上突出部と前記内蓋との当接がなくなるように構成されたものである。この構成により、使用者が食器類の出し入れを行う時に遮蔽板を後側に移動した場合でも、洗浄槽が収容されることによって、遮蔽板は、容易に扉体側に戻って次に洗浄槽が引き出される初期には扉体側に位置することができるとともに内蓋との当接がなくなり、内蓋は遮蔽板に妨げられることなく確実に上開口部を閉塞することができる。
【００２５】
第１０の発明は、第９の発明において、前記凹部と前記下突出部は、前記下突出部が滑らかに落ち込むように構成されたもので、これにより、遮蔽板は、前後および上下に滑らかに移動することができる。
【００２６】
第１１の発明は、第９または第１０の発明において、前記凹部と前記下突出部との少なくともいずれかに傾斜面が形成されたもので、これにより、下突出部が滑らかに落ち込むように移動させることができる。
【００２７】
第１２の発明は、第１または第２の発明において、前記遮蔽板は、回動可能に構成されたもので、これにより、使用者が食器類を洗浄槽に出し入れする時に、遮蔽板が邪魔にならないようにすることができる。
【００２８】
第１３の発明は、上記第１〜１２の発明において、前記遮蔽板は、かご蓋を有する小型食器かごで構成されたもので、これにより、洗浄水を遮蔽しつつ、収納できる食器容量を増やすことができる。
【００２９】
以下、本発明の実施の形態について、図を参照しながら説明する。なお、この実施の形態によって本発明が限定されるものではない。
【００３０】
（実施の形態１）
図１〜図５は、本発明の実施の形態１における食器洗い機を示すもので、図１は、洗浄槽２０が筐体１７に収容された状態の側面断面図である。図２は、洗浄槽２０が筐体１７から前方に引き出される初期状態の側面断面図である。図３は、食器洗い機の正面断面図である。図４は、遮蔽板が後側に移動した状態の側面断面図である。図５は、洗浄槽が筐体に収納される過程の側面断面図である。
【００３１】
図１と図２において、システムキッチンに収容された筐体１７は、前面に前開口部１８を有し、筐体１７内に前後方向に移動自在に設けられ、食器類１９等の被洗浄物を収容する洗浄槽２０を有する。洗浄槽２０は、筐体１７の両側面内側に略水平方向に架設されたレール２６に沿って前後方向に引き出し自在に支持される。洗浄槽２０は、後方向に移動して筐体１７内に収納された時に前開口部１８を覆う扉体２１をその前方に有している。
【００３２】
扉体２１は、上部に操作部２４が形成された操作パネル２５からなり、操作部２４は、洗浄槽２０を引き出した状態で、洗浄コースを選択するなどの設定操作を食器洗い機の上方からできるよう構成されている。また、扉体２１は、操作パネル２５の前面に固定され、食器洗い機の前面全てを覆う化粧板２２と扉体２１を開閉するハンドル２３とを含み、
この化粧板２２とハンドル２３とは、システムキッチンの引き出し収納の扉と同じデザイン、同じ仕様とされて、システムキッチンのデザインの統一感を図るように構成されている。
【００３３】
また、洗浄槽２０は上面に上開口部３１を有し、その内部に食器類１９を収容する上下２段の食器かご２７が配置されている。食器かご２７の下方には洗浄ノズル２８が回転自在に設けられている。操作パネル２５の裏面に設けられた制御部２５ａは、洗浄槽２０内に溜めた洗浄水を、底部に配置されたヒータ２９によって洗浄水を加熱しながら、洗浄ポンプ３０によって循環させ、洗浄ノズル２８より噴射して食器類１９を洗浄するなど、食器洗い機としての洗浄工程、すすぎ工程、乾燥工程等の一連の運転を制御する。
【００３４】
筐体１７内の上方には、洗浄槽２０が筐体１７内に収容された時に上開口部３１を閉塞するための内蓋３２が配置され、内蓋３２は前後一対のリンクを含む左右一対の平行リンク機構３３により上下動自在に支持されている。内蓋３２の下面外周には、降下したときに洗浄槽２０の上開口部３１を水密にシールするシール部材３４が設けられている。平行リンク機構３３は、洗浄槽２０が筐体１７から引き出される時、シール部材３４が洗浄槽２０の前後の移動に干渉しないよう上方に逃がす構成である。
【００３５】
また、洗浄槽２０の上開口部３１を閉塞した内蓋３２のすぐ下部には、洗浄槽２０が筐体１７に収容された時に、上開口部３１の一部を左右にわたって覆う遮蔽板３５が設けられている。遮蔽板３５は洗浄槽２０が引き出される初期に扉体２１側に位置し、洗浄水が洗浄槽２０から筐体１７より外に飛び出すのを遮るように構成されている。遮蔽板３５を前後に移動可能に支持する支持部３６は、洗浄槽２０内の左右上部に前後に長く設けられており、これにより、遮蔽板３５が移動するための構成が容易になるとともに、上部だけの構成のため収容される食器類１９の容量を維持することができる。そして、使用者が食器類１９を洗浄槽２０に出し入れする時に、移動させることで遮蔽板３５が邪魔にならないようにすることができる。
【００３６】
本実施の形態１において、洗浄槽２０は、遮蔽板３５が前後に移動可能なように、側面内壁に一体的に遮蔽板３５の支持部３６が前後に長い突起状に形成されている。これにより、支持部３６が洗浄槽２０の成形時に容易に構成されるとともに、洗浄槽内の清掃性を良好にすることができる。遮蔽板３５は、全体は平板で構成され、前端上面の左右２か所に内蓋３２に当接する上突出部３５ａと、下面前部で支持部３６に当接する左右２か所の下突出部３５ｂとを有する。支持部３６は、遮蔽板３５が扉体２１側に位置したとき下突出部３５ｂが落ち込む空間となる凹部３６ａを有する。また、下突出部３５ｂの下面は、下突出部３５ｂが凹部３６ａに滑らかに落ち込むように傾斜面に形成されている。
【００３７】
この構成により、遮蔽板３５が洗浄槽２０の後部に移動していても、洗浄槽２０が収容されるときに上突出部３５ａが内蓋３２の前端に当接して前側、すなわち扉体２１側に移動する。そして、遮蔽板３５が扉体２１側に位置したとき、下突出部３５ｂが凹部３６ａに落ち込んで上突出部３５ａと内蓋３２との当接がなくなり、そのまま内蓋３２が上開口部３１を閉塞した時には、上突出部３５ａは内蓋３２と干渉しないように構成されている。
【００３８】
以上のように構成された食器洗い機の動作および作用は、以下のとおりである。使用者は、化粧板２２に設けられたハンドル２３をつかみ、洗浄槽２０を引き出すと、操作パネル２４を上方から操作することができるようになる。そして使用者は、食器類１９を食器かご２７に収容して洗剤を投入し、操作パネル２４で洗浄コースなどを設定し、洗浄槽２０を筐体１７内に収容する。洗浄槽２０が筐体１７に収容された状態で、化粧板２２は収容されるシステムキッチンの扉と同じデザインであるため、システムキッチン全体のデザ
インの統一感が損なわれることはない。
【００３９】
また、使用者は、食器類１９をセットする時に、上開口部３１の一部を覆う遮蔽板３５を、邪魔にならないように洗浄槽２０に設けられた支持部３６に沿って前後に移動させることができる。洗浄槽２０を筐体１７に収容する時に、図４に示すように遮蔽板３５が洗浄槽２０の後部に移動されている場合、遮蔽板３５は下突出部３５ｂによって前部が持ち上げられて後方に傾斜した状態になり、上突出部３５ａが内蓋３２に当接する高さになる。これにより、筐体１７内に洗浄槽２０が押し込まれると、内蓋３２の前端に上突出部３５ａが当接し、そこから遮蔽板３５を残して洗浄槽２０だけが筐体１７内に移動する。
【００４０】
洗浄槽２０が所定の位置まで収容されると、支持部３６に設けた凹部３６ａに下突出部３５ｂが落ち込み、遮蔽板３５が支持部３６と平行になることで上突出部３５ａが内蓋３２との当接から解除されるとともに、遮蔽板３５は扉体２１側に位置するようになる。この時、遮蔽板３５は下突出部３５ｂの下面の傾斜面により凹部３６ａに滑らかに落ち込み、衝突音を発生させることがない。なお、この傾斜面を、支持部３６が下方に落とし込むように傾斜して延長される構成としてもよい。また、これらの傾斜面の代わりに、衝突部に弾性材などの緩衝部材が設けられることにより衝突音が抑制されるようにすることも可能である。
【００４１】
さらに、内蓋３２は平行リンク機構３３により洗浄槽２０の所定の位置に降下し、上開口部３１をシール部材３４を介して水密的に覆う。この時、内蓋３２はすでに遮蔽板３５との当接はなくなっているので、内蓋３２は遮蔽板３５に妨げられることなく確実に上開口部３１を閉塞することができる。このようにして洗浄槽２０が筐体１７内に収容されると、制御部２５ａは収納スイッチ２０ａにより収容完了を検知し、設定された洗浄コースに沿って洗浄運転を開始する。
【００４２】
食器洗い機が洗浄運転中に、使用者が食器類１９を追加したり、食器類１９の収容状態を確認したりするために、洗浄槽２０を引き出すことがある。この時、本実施の形態１の食器洗い機は従来のような取っ手スイッチを有しないため、洗浄槽２０の収納状態、すなわち、洗浄槽２０の収容完了や引き出される動きを検知する収納スイッチ２０ａにより洗浄槽２０の移動を検知して洗浄ポンプ３０の運転を停止する。しかし、運転中に洗浄槽２０が引き出される時には、洗浄槽２０の動きを検知してからのため洗浄ポンプ３０の停止が遅れ気味となり、洗浄ポンプ３０の慣性力によっては洗浄ノズル２８からの洗浄水が洗浄槽２０から筐体１７より外に飛び出てしまう。
【００４３】
しかしながら、本実施の形態１の食器洗い機は、洗浄槽２０の上開口部３１の一部を覆う遮蔽板３５を備え、前後に移動可能な遮蔽板３５は、上開口部３１のいかなる位置にあっても洗浄槽２０が筐体１７に収容される時に扉体２１側に戻される。この構成により、洗浄中に洗浄槽２０が引き出されても、少なくとも洗浄槽２０が引き出される初期に遮蔽板３５は扉体２１側に位置しており、洗浄ノズル２８から噴射された洗浄水を遮蔽板３５が遮り、洗浄水が洗浄槽２０から筐体１７より外に飛び出すことを防止することができる。なお、筐体１７内で洗浄水が飛び出したとしても、筐体１７内で処理可能である。
【００４４】
以上説明したように、本願発明の食器洗い機は、運転中に洗浄槽を引き出した時に洗浄水が洗浄槽から筐体より外に飛び出さないようにすることができ、使い勝手が良く、デザイン性に優れた食器洗い機を提供することができる。
【００４５】
（実施の形態２）
実施の形態２における食器洗い機は、食器かごを有効に利用するものである。図６は、食器洗い機の洗浄槽が筐体から前方に引き出される初期状態の側面断面図である。図７は
、食器洗い機の正面断面図である。図６と図７において、洗浄槽３７内に上下２段の食器かご３８が配設され、遮蔽板４０は、かご蓋を有する小型食器かご４１で構成されている。遮蔽板４０の前後移動を支持する支持部３９は、食器かご３８の上部で洗浄槽３７の上開口部３１の近傍に位置するように一体的に構成されている。遮蔽板４０には、実施の形態１と同様に、上突出部４０ａと下突出部４０ｂを備える。他の食器洗い機としての構成は実施の形態１と同様である。
【００４６】
以上のように構成された食器洗い機の動作および作用は、以下のとおりである。食器かご３８の上部に一体的に支持部３９が設けられているため、実施の形態１のように洗浄槽３７には支持部としての突起部などを必要としないため、食器かご３８を洗浄槽３７の内壁ぎりぎりまでの大きさとすることができ、食器類１９の収容量を大きくすることができる。また、メンテナンス等で、洗浄ノズル２８を取り外すために食器かご３８が出し入れされる時にも、作業が容易になる。
【００４７】
さらに、遮蔽板４０をかご蓋を有する小型食器かご４１にすることで、小物の食器容量を増やすとともに、運転の際には必ず扉体２１側の洗浄位置に戻る移動かごとして使用することができる。
【００４８】
そして、実施の形態１で説明したことと同様に、遮蔽板４０は、前後に移動可能であり、上開口部３１のいかなる位置にあっても洗浄槽３７が筐体１７に収容される時に扉体２１側に位置する。この構成により、洗浄中に洗浄槽３７が引き出されても、少なくとも洗浄槽３７が引き出される初期に遮蔽板４０は扉体２１側に位置しており、洗浄ノズル２８から噴射された洗浄水を遮蔽板４０が遮り、洗浄水が洗浄槽３７から筐体１７より外に飛び出すことを防止することができる。
【００４９】
なお、実施の形態１および２で説明した遮蔽板と支持部の構成は、それぞれに記載された構成に限定されるものではなく、適宜組み合わせて構成してもよい。
【００５０】
（実施の形態３）
実施の形態３では、実施の形態１および２とは方式が異なる遮蔽板について説明する。図８は、食器洗い機の洗浄槽が筐体から前方に引き出された状態の側面断面図である。図８において、洗浄槽４２の前方に、遮蔽板４３を軸支する軸部４２ａが設けられ、遮蔽板４３は軸部４２ａを中心に上方へ垂直状態まで回転可能に構成されている。軸部４２ａは、遮蔽板４３が回転した時に、任意の角度でその状態を保つように構成されている。他の食器洗い機としての構成は実施の形態１と同様である。
【００５１】
以上のように構成された食器洗い機の動作および作用は、以下のとおりである。使用者は、食器類１９を食器かご２７の収容する時に、遮蔽板４３を洗浄槽４２に設けた軸部４２ａを中心に上方に回転させて立ち上げることにより、食器類１９の出し入れができる。また、遮蔽板４３は、洗浄槽４２を筐体１７に収容する時には立ち上げた状態でも筐体１７に当接し、水平状態に戻される。
【００５２】
このように、本実施の形態３の食器洗い機は、洗浄槽４２の上開口部３１の一部を覆う遮蔽板４３を備え、軸部４２ａを中心に回転可能な遮蔽板４３は、回転範囲のいかなる位置にあっても洗浄槽４２が筐体１７に収容される時に扉体２１側に位置する。この構成により、洗浄中に洗浄槽４２が引き出されても、少なくとも洗浄槽４２が引き出される初期に遮蔽板４３は扉体２１側に位置しており、洗浄ノズル２８から噴射された洗浄水を遮蔽板４３が遮り、洗浄水が洗浄槽４２から筐体１７より外に飛び出すことを防止することができる。
【産業上の利用可能性】
【００５３】
以上のように、本発明にかかる食器洗い機は、収容されるシステムキッチンの扉と同じデザインの化粧板が前面全てに施され、デザイン性を高めることが可能となるので、システムキッチンにビルトインして使用されるタイプの食器洗い機等として有用である。
【符号の説明】
【００５４】
１７  筐体
１８  前開口部
２０，３７，４２  洗浄槽
２０ａ  収納スイッチ
２１  扉体
２７，３８  食器かご
２８  洗浄ノズル
３１  上開口部
３２  内蓋
３５，４０，４３  遮蔽板
３５ａ，４０ａ  上突出部
３５ｂ，４０ｂ  下突出部
３６，３９  支持部
３６ａ  凹部
４１  小型食器かご
【図１】
2014204774.tif 000003
【図２】
2014204774.tif 000004
【図３】
2014204774.tif 000005
【図４】
2014204774.tif 000006
【図５】
2014204774.tif 000007
【図６】
2014204774.tif 000008
【図７】
2014204774.tif 000009
【図８】
2014204774.tif 000010
【図９】
2014204774.tif 000011
【図１０】
2014204774.tif 000012